(57)【要約】【課題】液晶表示装置において、駆動用トランジスタのゲート絶縁膜と補助キャパシタのキャパシタ絶縁膜とを別々の絶縁膜で形成すること。【解決手段】本発明では、対向状に配置した２枚の基板の間に液晶を充填し、一方の基板に駆動用トランジスタと補助キャパシタとを形成してなる液晶表示装置において、基板の表面に駆動用トランジスタのゲート絶縁膜を成膜するとともに、同ゲート絶縁膜の一部を除去して所定形状にパターニングし、その後、ゲート絶縁膜を除去した部分に同ゲート絶縁膜とは異なる素材からなる補助キャパシタのキャパシタ絶縁膜を形成することにした。【選択図】　　　図１
2004045811.tif 000002
【特許請求の範囲】
【請求項１】
対向状に配置した２枚の基板の間に液晶を充填し、一方の基板に駆動用トランジスタと補助キャパシタとを形成してなる液晶表示装置において、
補助キャパシタのキャパシタ絶縁膜は、基板の表面に形成した駆動用トランジスタのゲート絶縁膜を一部除去した部分に同ゲート絶縁膜とは異なる素材で形成したことを特徴とする液晶表示装置。
【請求項２】
対向状に配置した２枚の基板の間に液晶を充填し、一方の基板に駆動用トランジスタと補助キャパシタとを形成してなる液晶表示装置において、
駆動用トランジスタのゲート絶縁膜は、基板の表面に形成した補助キャパシタのキャパシタ絶縁膜を一部除去した部分に同キャパシタ絶縁膜とは異なる素材で形成したことを特徴とする液晶表示装置。
【請求項３】
前記キャパシタ絶縁膜は、ゲート絶縁膜よりも誘電率が高い素材で形成したことを特徴とする請求項１又は請求項２記載の液晶表示装置。
【請求項４】
対向状に配置した２枚の基板の間に液晶を充填し、一方の基板に駆動用トランジスタと補助キャパシタとを形成してなる液晶表示装置の製造方法において、
基板の表面に駆動用トランジスタのゲート絶縁膜を成膜するとともに、同ゲート絶縁膜の一部を除去して所定形状にパターニングし、その後、ゲート絶縁膜を除去した部分に同ゲート絶縁膜とは異なる素材からなる補助キャパシタのキャパシタ絶縁膜を形成することを特徴とする液晶表示装置の製造方法。
【請求項５】
対向状に配置した２枚の基板の間に液晶を充填し、一方の基板に駆動用トランジスタと補助キャパシタとを形成してなる液晶表示装置の製造方法において、
基板の表面に補助キャパシタのキャパシタ絶縁膜を成膜するとともに、同キャパシタ絶縁膜の一部を除去して所定形状にパターニングし、その後、キャパシタ絶縁膜を除去した部分に同キャパシタ絶縁膜とは異なる素材からなる駆動用トランジスタのゲート絶縁膜を形成することを特徴とする液晶表示装置の製造方法。
【請求項６】
前記キャパシタ絶縁膜は、ゲート絶縁膜よりも誘電率が高い素材で形成することを特徴とする請求項４又は請求項５記載の液晶表示装置の製造方法。
【発明の詳細な説明】
【０００１】
【発明の属する技術分野】
本発明は、液晶表示装置及びその製造方法に関するものである。
【０００２】
【従来の技術】
従来の液晶表示装置は、ガラス又は石英からなる透明の液晶駆動基板と対向基板とをスペーサやシール材を介して対向させて配置するとともに、両基板間に液晶を充填して構成しており、液晶駆動基板と対向基板とに対向する複数の透明電極を格子配列状にそれぞれ形成し、両透明電極間に所定の駆動信号を印加することによって両透明電極間の液晶の光透過率を変更することで種々の表示を行うようにしていた。
【０００３】
ここで、図５に示すように、液晶駆動基板１００には、各透明電極１０１に所定の駆動信号を選択的に印加するための駆動用トランジスタ１０２（薄膜トランジスタ：ＴＦＴ（Ｔｈｉｎ　Ｆｉｌｍ　Ｔｒａｎｓｉｓｔｏｒ））を形成するとともに、透明電極１０１で形成されるキャパシタに蓄えられる電荷を一定時間安定的に保持することによって表示動作を安定させるための補助キャパシタ１０３を形成しており、各駆動用トランジスタ１０２のソース端子に透明電極１０１を直列接続するとともに、各駆動用トランジスタ１０２のソース端子と接地線１０４との間に補助キャパシタ１０３を接続し、さらには、縦方向に並設した駆動用トランジスタ１０２のドレイン端子同士を駆動信号線１０５で接続し、横方向に並設した駆動用トランジスタ１０２のゲート端子同士を選択信号線１０６で接続している。
【０００４】
そして、液晶表示装置１０７は、選択信号線１０６で供給される選択信号と駆動信号線１０５で供給される駆動信号とによって駆動用トランジスタ１０２に接続した透明電極１０１のいずれかに選択的に駆動信号を印加し、その画素での表示を行うようにしている。
【０００５】
上記液晶表示装置１０７の液晶駆動基板１００は、次のようにして製造していた（図６参照）。
【０００６】
まず、図６（ａ）に示すように、ガラス基板１０８の上面に所定形状のポリシリコン膜１０９を形成する。
【０００７】
次に、図６（ｂ）に示すように、ポリシリコン膜１０９の上面に所定形状の絶縁膜１１０（酸化膜）を形成し、同絶縁膜１１０の所定位置（駆動用トランジスタ１０２の形成位置）にヒ素又はリンをドーピングする。
【０００８】
次に、図６（ｃ）に示すように、絶縁膜１１０の上面の所定位置（駆動用トランジスタ１０２の形成位置及び補助キャパシタ１０３の形成位置）にポリシリコン膜によって所定形状のゲート電極１１１とキャパシタ電極１１２とを形成する。
【０００９】
次に、図６（ｄ）に示すように、ガラス基板１０８の上面に層間絶縁膜１１３（ＰＳＧ膜）を成膜するとともに、同層間絶縁膜１１３の一部にポリシリコン膜１０９に連通するコンタクトホール１１４を形成し、同コンタクトホール１１４にアルミニウム配線１１５（駆動信号線１０５）を形成する。
【００１０】
次に、図６（ｅ）に示すように、層間絶縁膜１１３の上面にさらに層間絶縁膜１１６（ＰＳＧ膜）を成膜するとともに、所定位置にポリシリコン膜１０９に連通するコンタクトホール１１７を形成する。
【００１１】
最後に、図６（ｆ）に示すように、層間絶縁膜１１６の上面の所定位置にＩＴＯ膜（Ｉｎｄｉｕｍ−Ｔｉｎ　Ｏｘｉｄｅ膜）によって透明電極１０１を形成する。
【００１２】
このように、従来の液晶表示装置１０７は、ポリシリコン膜１０９の上面に絶縁膜１１０を形成し、同絶縁膜１１０の上面に駆動用トランジスタ１０２のゲート電極１１１と補助キャパシタ１０３のキャパシタ電極１１２とを形成していた。すなわち、駆動用トランジスタ１０２のゲート絶縁膜と補助キャパシタ１０３のキャパシタ絶縁膜とを共通の絶縁膜１１０で形成していた。
【００１３】
ここで、図６（ｆ）に示すように、駆動用トランジスタ１０２及び補助キャパシタ１０３を形成した部分は光が透過しない非透過領域１１８となっており、それ以外の部分は光が透過する透過領域１１９となっている。
【００１４】
【発明が解決しようとする課題】
ところが、一般的には、液晶表示装置は、非透過領域の面積を削減することによって、その分だけ透過領域の面積を増大させることができ、透過領域の面積を増大させることによって液晶表示装置の高輝度化を図ることができるが、上記従来の液晶表示装置１０７にあっては、駆動用トランジスタ１０２のゲート絶縁膜と補助キャパシタ１０３のキャパシタ絶縁膜とを共通の絶縁膜１１０で形成していたため、非透過領域１１８の面積を削減することができず、透過領域１１９の面積の増大による液晶表示装置１０７の高輝度化を図ることができなかった。これは、以下に説明する理由によるものであった。
【００１５】
すなわち、非透過領域１１８の面積を削減するためには、非透過領域１１８において補助キャパシタ１０３が占有する面積を縮小する必要がある。一方、表示動作を安定させるためには補助キャパシタ１０３として所定の容量を確保する必要がある。そのため、表示動作の安定性を考慮しつつ液晶表示装置１０７の高輝度化を図るには、補助キャパシタ１０３の容量を所定値以上に確保したまま占有面積を縮小しなければならず、その方法としては、補助キャパシタ１０３のキャパシタ絶縁膜の膜厚を薄膜化する方法や、補助キャパシタ１０３のキャパシタ絶縁膜を高誘電率化する方法が考えられる。
【００１６】
しかしながら、従来の液晶表示装置１０７にあっては、駆動用トランジスタ１０２のゲート絶縁膜と補助キャパシタ１０３のキャパシタ絶縁膜とを共通の絶縁膜１１０で形成していたため、補助キャパシタ１０３のキャパシタ絶縁膜の膜厚を薄膜化した場合には、駆動用トランジスタ１０２のゲート絶縁膜までもが薄膜化してしまい、駆動用トランジスタ１０２の耐圧が低減してしまい、液晶表示装置１０７の信頼性が低減するおそれがあり、一方、絶縁膜１１０としてシリコン酸化膜に替えて誘電率が高いシリコンナイトライド膜を用いることによって補助キャパシタ１０３のキャパシタ絶縁膜を高誘電率化した場合には、駆動用トランジスタ１０２のゲート酸化膜としてもシリコンナイトライド膜を使用しなければならず、駆動用トランジスタ１０２のリーク電流が増大してしまい、これによっても液晶表示装置１０７の信頼性が低減するおそれがあった。
【００１７】
このように、上記従来の液晶表示装置１０７にあっては、駆動用トランジスタ１０２のゲート絶縁膜と補助キャパシタ１０３のキャパシタ絶縁膜とを共通の絶縁膜１１０で形成していたため、透過領域１１９の面積の増大による液晶表示装置１０７の高輝度化を図ることができなかった。
【００１８】
他方、駆動用トランジスタのゲート絶縁膜と補助キャパシタのキャパシタ絶縁膜とを別々の絶縁膜で形成することによって非透過領域の面積を削減し、その分だけ透過領域の面積を増大させて液晶表示装置の高輝度化を図ることも考えられる。その方法としては、補助キャパシタを駆動用トランジスタの下方に形成することによって駆動用トランジスタと補助キャパシタとを積層化する方法や、補助キャパシタを半導体基板の縦方向（深さ方向）に向けて形成することによって補助キャパシタを縦型化する方法が考えられる。
【００１９】
しかしながら、駆動用トランジスタと補助キャパシタとを積層化する方法や補助キャパシタを縦型化する方法では、液晶表示装置の製造工程が複雑化してしまい、液晶表示装置の製造コストが増大してしまうおそれがあった。
【００２０】
このように、駆動用トランジスタのゲート絶縁膜と補助キャパシタのキャパシタ絶縁膜とを別々の絶縁膜で形成した場合には、液晶表示装置の製造コストが増大してしまい実用化が困難であった。
【００２１】
【課題を解決するための手段】
そこで、本発明では、対向状に配置した２枚の基板の間に液晶を充填し、一方の基板に駆動用トランジスタと補助キャパシタとを形成してなる液晶表示装置において、補助キャパシタのキャパシタ絶縁膜は、基板の表面に形成した駆動用トランジスタのゲート絶縁膜を一部除去した部分に同ゲート絶縁膜とは異なる素材で形成することにした。
【００２２】
また、対向状に配置した２枚の基板の間に液晶を充填し、一方の基板に駆動用トランジスタと補助キャパシタとを形成してなる液晶表示装置において、駆動用トランジスタのゲート絶縁膜は、基板の表面に形成した補助キャパシタのキャパシタ絶縁膜を一部除去した部分に同キャパシタ絶縁膜とは異なる素材で形成することにした。
【００２３】
また、前記キャパシタ絶縁膜は、ゲート絶縁膜よりも誘電率が高い素材で形成することにした。
【００２４】
また、対向状に配置した２枚の基板の間に液晶を充填し、一方の基板に駆動用トランジスタと補助キャパシタとを形成してなる液晶表示装置の製造方法において、基板の表面に駆動用トランジスタのゲート絶縁膜を成膜するとともに、同ゲート絶縁膜の一部を除去して所定形状にパターニングし、その後、ゲート絶縁膜を除去した部分に同ゲート絶縁膜とは異なる素材からなる補助キャパシタのキャパシタ絶縁膜を形成することにした。
【００２５】
また、対向状に配置した２枚の基板の間に液晶を充填し、一方の基板に駆動用トランジスタと補助キャパシタとを形成してなる液晶表示装置の製造方法において、基板の表面に補助キャパシタのキャパシタ絶縁膜を成膜するとともに、同キャパシタ絶縁膜の一部を除去して所定形状にパターニングし、その後、キャパシタ絶縁膜を除去した部分に同キャパシタ絶縁膜とは異なる素材からなる駆動用トランジスタのゲート絶縁膜を形成することにした。
【００２６】
また、前記キャパシタ絶縁膜は、ゲート絶縁膜よりも誘電率が高い素材で形成することにした。
【００２７】
【発明の実施の形態】
本発明に係る液晶表示装置は、ガラス又は石英などからなる透明の液晶駆動基板と対向基板とをスペーサやシール材を介して対向させて配置するとともに、両基板間に液晶を充填し、液晶駆動基板と対向基板とに対向する複数の透明電極を格子配列状にそれぞれ形成したものである。
【００２８】
液晶駆動基板には、従来の液晶表示装置と同様に、各透明電極に所定の駆動信号を選択的に印加するための駆動用トランジスタ（薄膜トランジスタ：ＴＦＴ（Ｔｈｉｎ　Ｆｉｌｍ　Ｔｒａｎｓｉｓｔｏｒ））を形成するとともに、透明電極で形成されるキャパシタに蓄えられる電荷を一定時間安定的に保持することによって表示動作を安定させるための補助キャパシタを形成しており、各駆動用トランジスタのソース端子に透明電極を直列接続するとともに、各駆動用トランジスタのソース端子と接地線との間に補助キャパシタを接続し、さらには、縦方向に並設した駆動用トランジスタのドレイン端子同士を駆動信号線で接続し、横方向に並設した駆動用トランジスタのゲート端子同士を選択信号線で接続している。
【００２９】
そして、本発明に係る液晶表示装置では、液晶駆動基板の構造及び製造方法に特徴を有している。
【００３０】
すなわち、本発明に係る液晶表示装置の液晶駆動基板は、液晶駆動基板の表面に駆動用トランジスタのゲート絶縁膜を成膜した後に、同ゲート絶縁膜の一部を除去して所定形状にパターニングし、その後、ゲート絶縁膜を除去した部分に同ゲート絶縁膜とは異なる素材からなる補助キャパシタのキャパシタ絶縁膜を形成することによって製造したものである。
【００３１】
また、液晶駆動基板は、液晶駆動基板の表面に補助キャパシタのキャパシタ絶縁膜を成膜した後に、同キャパシタ絶縁膜の一部を除去して所定形状にパターニングし、その後、キャパシタ絶縁膜を除去した部分に同キャパシタ絶縁膜とは異なる素材からなる駆動用トランジスタのゲート絶縁膜を形成することによって製造したものである。
【００３２】
このように、本発明では、従来の液晶表示装置の製造方法を適宜組合わせて利用することによって従来の製造技術の延長線上にて製造可能とし、これにより液晶表示装置の製造コストの増大を可及的に抑制しつつ、駆動用トランジスタのゲート絶縁膜と補助キャパシタのキャパシタ絶縁膜とを別々の絶縁膜で形成することができるものである。
【００３３】
特に、キャパシタ絶縁膜を、ゲート絶縁膜よりも誘電率が高い素材で形成した場合には、補助キャパシタの容量を確保しつつ占有面積を可及的に小さくすることができ、これによって非透過領域の面積を縮小し、その分だけ透過領域の面積を増大させることができ、液晶表示装置の高輝度化を図ることができるようにしたものである。
【００３４】
以下に、本発明の具体的な実施の形態について図面を参照しながら説明する。
【００３５】
［実施の形態１］
本発明の実施の形態１に係る液晶表示装置１は、図１に示すように、液晶駆動基板２の表面に駆動用トランジスタ３のゲート絶縁膜４を成膜した後に、同ゲート絶縁膜４の一部を除去して所定形状にパターニングし、その後、ゲート絶縁膜４を除去した部分に同ゲート絶縁膜４とは異なる素材からなる補助キャパシタ５のキャパシタ絶縁膜６を形成することによって製造したものである。
【００３６】
以下に、液晶駆動基板２の具体的な製造方法について説明する。
【００３７】
まず、図１（ａ）に示すように、ガラス基板７の上面にポリシリコン膜８を所定の膜厚で成膜した後に、フォトリソグラフィによって一部分を除去することで所定形状にパターニングする。ここで、ポリシリコン膜８は、モノシランのみを用いた減圧ＣＶＤ（Ｃｈｅｍｉｃａｌ　Ｖａｐｏｒ　Ｄｅｐｏｓｉｔｉｏｎ：化学気相成長）法で形成した後に、膜抵抗値を低減するために所定濃度のリン又はボロンなどを添加して成膜してもよく、また、モノシランとホスフィン・ジボランなどのガスを同時に使用したＣＶＤ法で成膜してもよい。
【００３８】
次に、図１（ｂ）に示すように、ポリシリコン膜８の上面に駆動用トランジスタ３のゲート絶縁膜４となるシリコン酸化膜を所定の膜厚で成膜する。ここで、ゲート絶縁膜４は、熱処理又はシラン系ガスと酸素との反応を用いて成膜する。また、ゲート絶縁膜４は、シリコン酸化膜に限られず、いかなる絶縁膜を用いてもよい。
【００３９】
次に、図１（ｃ）に示すように、ゲート絶縁膜４の一部分をエッチングによって除去して、所定形状にパターニングし、その後、同ゲート絶縁膜４の所定位置（駆動用トランジスタ３の形成位置）に所定濃度のヒ素又はリンをドーピングする。ここで、エッチングは、ウエットエッチングでもよく、また、ドライエッチングでもよい。
【００４０】
次に、図１（ｄ）に示すように、ゲート絶縁膜４の上面に補助キャパシタ５のキャパシタ絶縁膜６となるシリコンナイトライド膜を所定の膜厚で成膜する。ここで、キャパシタ絶縁膜６は、モノシラン又はＳｉＨ２Ｃｌ２とアンモニアを用いたＣＶＤ法で成膜している。また、キャパシタ絶縁膜６は、シリコンナイトライド膜に限られず、いかなる絶縁膜を用いてもよいが、誘電率の高い素材の方が好ましく、特に、ゲート絶縁膜４よりも誘電率の高い素材のほうが好ましい。
【００４１】
次に、図１（ｅ）に示すように、キャパシタ絶縁膜６の一部分であって、かつ、ゲート絶縁膜４を除去した部分以外の部分をエッチングによって除去して、所定形状にパターニングする。ここで、エッチングは、ラジカルを使用したドライエッチングでもよく、また、燐酸などを使用したウエットエッチングでもよい。
【００４２】
次に、図１（ｆ）に示すように、ゲート絶縁膜４に酸化処理を施して、ゲート絶縁膜４の耐圧を向上させるとともに、ダメージを除去し、その後、駆動用トランジスタ３のゲート絶縁膜４の上面及び補助キャパシタ５のキャパシタ絶縁膜６の上面にポリシリコン膜を所定の膜厚で成膜した後に、フォトリソグラフィによって一部分を除去することで所定形状にパターニングすることによって、駆動用トランジスタ３のゲート絶縁膜４の上面にゲート電極９を形成するとともに、補助キャパシタ５のキャパシタ絶縁膜６の上面にキャパシタ電極１０を形成する。ここで、ゲート電極９及びキャパシタ電極１０は、ポリシリコン膜に限られず、タングステン膜やタングステンシリサイド膜、又はこれらとポリシリコン膜とを積層した膜でもよい。
【００４３】
次に、図２（ａ）に示すように、ガラス基板７の上面にリンガラス膜（ＰＳＧ膜：Ｐｈｏｓｐｈｒｕｓ　Ｓｉｌｉｃａｔｅ　Ｇｌａｓｓ膜）からなる層間絶縁膜１１を成膜するとともに、同層間絶縁膜１１の一部にポリシリコン膜８に連通するコンタクトホール１２を形成し、同コンタクトホール１２にアルミニウム配線１３（駆動信号線）を形成する。
【００４４】
次に、図２（ｂ）に示すように、層間絶縁膜１１の上面にさらに層間絶縁膜１４（ＰＳＧ膜）を成膜するとともに、所定位置にポリシリコン膜８に連通するコンタクトホール１５を形成する。
【００４５】
最後に、図２（ｃ）に示すように、層間絶縁膜１４の上面の所定位置にＩＴＯ膜（Ｉｎｄｉｕｍ−Ｔｉｎ　Ｏｘｉｄｅ膜）からなる透明電極１６を形成する。
【００４６】
ここで、図２（ｃ）に示すように、駆動用トランジスタ３及び補助キャパシタ５を形成した部分は光が透過しない非透過領域１７となっており、それ以外の部分は光が透過する透過領域１８となっている。
【００４７】
このように、液晶駆動基板２の表面に駆動用トランジスタ３のゲート絶縁膜４を成膜した後に、同ゲート絶縁膜４の一部を除去して所定形状にパターニングし、その後、ゲート絶縁膜４を除去した部分に同ゲート絶縁膜４とは異なる素材からなる補助キャパシタ５のキャパシタ絶縁膜６を形成することによって、補助キャパシタ５のキャパシタ絶縁膜６を、液晶駆動基板２の表面に形成した駆動用トランジスタ３のゲート絶縁膜４を一部除去した部分に同ゲート絶縁膜４とは異なる素材で形成した液晶表示装置１を製造することができる。
【００４８】
かかる液晶表示装置１は、従来の液晶表示装置の製造方法（成膜工程及びエッチング工程）を適宜組合わせて利用することによって従来の製造技術の延長線上にて製造することができ、これにより液晶表示装置１の製造コストの増大を可及的に抑制しつつ、駆動用トランジスタ３のゲート絶縁膜４と補助キャパシタ５のキャパシタ絶縁膜６とを異なる素材の絶縁膜で形成することができる。
【００４９】
特に、キャパシタ絶縁膜６を、ゲート絶縁膜４よりも誘電率が高い素材で形成することによって、補助キャパシタ５の容量を確保しつつ液晶駆動基板２において補助キャパシタ５が占有する面積を可及的に小さくすることができ、これによって非透過領域１７の面積を縮小し、その分だけ透過領域１８の面積を増大させることができ、液晶表示装置１の高輝度化を図ることができる。
【００５０】
［実施の形態２］
本発明の実施の形態２に係る液晶表示装置２１は、図３に示すように、液晶駆動基板２２の表面に補助キャパシタ２３のキャパシタ絶縁膜２４を成膜した後に、同キャパシタ絶縁膜２４の一部を除去して所定形状にパターニングし、その後、キャパシタ絶縁膜２４を除去した部分に同キャパシタ絶縁膜２４とは異なる素材からなる駆動用トランジスタ２５のゲート絶縁膜２６を形成することによって製造したものである。
【００５１】
以下に、液晶駆動基板２２の具体的な製造方法について説明する。
【００５２】
まず、図３（ａ）に示すように、ガラス基板２７の上面にポリシリコン膜２８を所定の膜厚で成膜した後に、フォトリソグラフィによって一部分を除去することで所定形状にパターニングする。ここで、ポリシリコン膜２８は、モノシランのみを用いた減圧ＣＶＤ（Ｃｈｅｍｉｃａｌ　Ｖａｐｏｒ　Ｄｅｐｏｓｉｔｉｏｎ：化学気相成長）法で形成した後に、膜抵抗値を低減するために所定濃度のリン又はボロンなどを添加して成膜してもよく、また、モノシランとホスフィン・ジボランなどのガスを同時に使用したＣＶＤ法で成膜してもよい。
【００５３】
次に、図３（ｂ）に示すように、ポリシリコン膜２８の上面にシリコン酸化膜２９を所定の膜厚で成膜する。
【００５４】
次に、図３（ｃ）に示すように、補助キャパシタ２３のキャパシタ絶縁膜２４となるシリコンナイトライド膜を所定の膜厚で成膜する。ここで、キャパシタ絶縁膜２４は、モノシラン又はＳｉＨ２Ｃｌ２とアンモニアを用いたＣＶＤ法で成膜している。また、キャパシタ絶縁膜２４は、シリコンナイトライド膜に限られず、いかなる絶縁膜を用いてもよいが、誘電率の高い素材の方が好ましく、特に、後述するゲート絶縁膜２６よりも誘電率の高い素材のほうが好ましい。さらに、キャパシタ絶縁膜２４は、後述するゲート絶縁膜２６の形成における酸化処理を考慮して、シリコンよりも酸化係数の低い素材を用いた方が好ましい。
【００５５】
次に、図３（ｄ）に示すように、キャパシタ絶縁膜２４の一部分をエッチングによって除去して、所定形状にパターニングする。ここで、エッチングは、ラジカルを使用したドライエッチングでもよく、また、燐酸などを使用したウエットエッチングでもよいが、特に、フッ素ラジカルを使用したケミカルドライエッチングによる場合には、シリコン酸化膜２９がエッチングストッパーとして機能し、ポリシリコン膜２８を保護することができる。
【００５６】
次に、図３（ｅ）に示すように、ポリシリコン膜２８の上面であって、かつ、キャパシタ絶縁膜２４を除去した部分に駆動用トランジスタ２５のゲート絶縁膜２６となるシリコン酸化膜を所定の膜厚で成膜し、その後、同ゲート絶縁膜２６の所定位置（駆動用トランジスタ２５の形成位置）に所定濃度のヒ素又はリンをドーピングする。ここで、ゲート絶縁膜２６は、酸素雰囲気中で加熱する酸化処理によって所定形状の酸化膜を成膜している。これにより、キャパシタ絶縁膜２４の上面にも酸化処理が施され、キャパシタ絶縁膜２４の耐圧を向上させることができ、しかも、ゲート絶縁膜２６をエッチングによってパターニングする必要がないために、ゲート絶縁膜２６でのダメージの発生を可及的にするなくすることができる。なお、シリコンナイトライド膜からなるキャパシタ絶縁膜２４の上面の方が、ポリシリコン膜２８の上面よりも酸化膜の成長速度が遅いことから、キャパシタ絶縁膜２４の上面にはポリシリコン膜２８の上面よりも薄い酸化膜が成膜される。また、ゲート絶縁膜２６は、シリコン酸化膜に限られず、いかなる絶縁膜を用いてもよい。
【００５７】
次に、図３（ｆ）に示すように、駆動用トランジスタ２５のゲート絶縁膜２６の上面及び補助キャパシタ２３のキャパシタ絶縁膜２４の上面にポリシリコン膜を所定の膜厚で成膜した後に、フォトリソグラフィによって一部分を除去することで所定形状にパターニングすることによって、駆動用トランジスタ２５のゲート絶縁膜２６の上面にゲート電極３０を形成するとともに、補助キャパシタ２３のキャパシタ絶縁膜２４の上面にキャパシタ電極３１を形成する。ここで、ゲート電極３０及びキャパシタ電極３１は、ポリシリコン膜に限られず、タングステン膜やタングステンシリサイド膜、又はこれらとポリシリコン膜とを積層した膜でもよい。
【００５８】
次に、図４（ａ）に示すように、ガラス基板２７の上面にリンガラス膜（ＰＳＧ膜：Ｐｈｏｓｐｈｒｕｓ　Ｓｉｌｉｃａｔｅ　Ｇｌａｓｓ膜）からなる層間絶縁膜３２を成膜するとともに、同層間絶縁膜３２の一部にポリシリコン膜２８に連通するコンタクトホール３３を形成し、同コンタクトホール３３にアルミニウム配線３４（駆動信号線）を形成する。
【００５９】
次に、図４（ｂ）に示すように、層間絶縁膜３２の上面にさらに層間絶縁膜３５（ＰＳＧ膜）を成膜するとともに、所定位置にポリシリコン膜２８に連通するコンタクトホール３６を形成する。
【００６０】
最後に、図４（ｃ）に示すように、層間絶縁膜３５の上面の所定位置にＩＴＯ膜（Ｉｎｄｉｕｍ−Ｔｉｎ　Ｏｘｉｄｅ膜）からなる透明電極３７を形成する。
【００６１】
ここで、図４（ｃ）に示すように、駆動用トランジスタ３及び補助キャパシタ５を形成した部分は光が透過しない非透過領域３８となっており、それ以外の部分は光が透過する透過領域３９となっている。
【００６２】
このように、液晶駆動基板２２の表面に補助キャパシタ２３のキャパシタ絶縁膜２４を成膜した後に、同キャパシタ絶縁膜２４の一部を除去して所定形状にパターニングし、その後、キャパシタ絶縁膜２４を除去した部分に同キャパシタ絶縁膜２４とは異なる素材からなる駆動用トランジスタ２５のゲート絶縁膜２６を形成することによって、駆動用トランジスタ２５のゲート絶縁膜２６は、液晶駆動基板２２の表面に形成した補助キャパシタ２３のキャパシタ絶縁膜２４を一部除去した部分に同キャパシタ絶縁膜２４とは異なる素材で形成した液晶表示装置２１を製造することができる。
【００６３】
かかる液晶表示装置２１は、従来の液晶表示装置の製造方法（成膜工程及びエッチング工程）を適宜組合わせて利用することによって従来の製造技術の延長線上にて製造することができ、これにより液晶表示装置２１の製造コストの増大を可及的に抑制しつつ、駆動用トランジスタ２５のゲート絶縁膜２６と補助キャパシタ２３のキャパシタ絶縁膜２４とを異なる素材の絶縁膜で形成することができる。
【００６４】
特に、キャパシタ絶縁膜２４を、ゲート絶縁膜２６よりも誘電率が高い素材で形成することによって、補助キャパシタ２３の容量を確保しつつ液晶駆動基板２２において補助キャパシタ２３が占有する面積を可及的に小さくすることができ、これによって非透過領域３８の面積を縮小し、その分だけ透過領域３９の面積を増大させることができ、液晶表示装置２１の高輝度化を図ることができる。
【００６５】
【発明の効果】
本発明は、以上に説明したような形態で実施され、以下に記載されるような効果を奏する。
【００６６】
すなわち、本発明によれば、従来の液晶表示装置の製造方法を適宜組合わせて利用することによって従来の製造技術の延長線上にて製造可能とし、これにより液晶表示装置の製造コストの増大を可及的に抑制しつつ、駆動用トランジスタのゲート絶縁膜と補助キャパシタのキャパシタ絶縁膜とを別々の絶縁膜で形成することができる。
【００６７】
特に、キャパシタ絶縁膜を、ゲート絶縁膜よりも誘電率が高い素材で形成した場合には、補助キャパシタの容量を確保しつつ補助キャパシタの占有面積を可及的に小さくすることができ、これによって非透過領域の面積を縮小し、その分だけ透過領域の面積を増大させることができ、液晶表示装置の高輝度化を図ることができる。
【図面の簡単な説明】
【図１】本発明の実施の形態１に係る液晶表示装置の製造方法（前半）を示す説明図。
【図２】本発明の実施の形態１に係る液晶表示装置の製造方法（後半）を示す説明図。
【図３】本発明の実施の形態２に係る液晶表示装置の製造方法（前半）を示す説明図。
【図４】本発明の実施の形態２に係る液晶表示装置の製造方法（後半）を示す説明図。
【図５】液晶表示装置の等価回路図。
【図６】従来の液晶表示装置の製造方法を示す説明図。
【符号の説明】
１，２１　液晶表示装置
２，２２　液晶駆動基板
３，２５　駆動用トランジスタ
４，２６　ゲート絶縁膜
５，２３　補助キャパシタ
６，２４　キャパシタ絶縁膜
７，２７　ガラス基板
８，２８　ポリシリコン膜
９，３０　ゲート電極
１０，３１　　キャパシタ電極
１１，１４，３２，３５　　層間絶縁膜
１２，１５，３３，３６　　コンタクトホール
１３，３４　　アルミニウム配線
１６，３７　　透明電極
１７，３８　　非透過領域
１８，３９　　透過領域
２９　シリコン酸化膜
【図１】
2004045811.tif 000003
【図２】
2004045811.tif 000004
【図３】
2004045811.tif 000005
【図４】
2004045811.tif 000006
【図５】
2004045811.tif 000007
【図６】
2004045811.tif 000008